(57)【要約】【課題】ターボ過給機付き火花点火式エンジンにおいて、その運転状態が中速域でかつ高負荷領域にあるときに、異常燃焼を回避して、トルク向上を図る。【解決手段】ターボ過給機２６は、エンジン本体（エンジン１）の運転領域において、コンプレッサ２６Ａの作動ラインが、当該コンプレッサの最高効率を含む所定範囲内となるように、タービン２６Ｂの容量を設定している。動弁機構１２は、エンジン本体の運転状態が中速域でかつ高負荷領域にあるときには、充填効率が所定以下となるように吸気弁９の閉弁時期を設定すると共に、吸気弁の開弁期間と排気弁１０の開弁期間とが所定期間だけ重なるように、吸気弁及び排気弁の開閉時期を設定する。【選択図】図９
2014163250.tif 000002
【特許請求の範囲】
【請求項１】
少なくとも１の気筒を有するよう構成されたエンジン本体と、
前記気筒内に吸気を導入するために開閉するよう構成された吸気弁と、
前記気筒内から排気を排出するために開閉するよう構成された排気弁と、
前記吸気弁及び前記排気弁それぞれの開閉時期を設定するように構成された動弁機構と、
前記エンジン本体の吸気側に配置されかつ、所定過給圧の吸気を前記気筒に供給するためのコンプレッサ及び、前記エンジン本体の排気側に配置されかつ、前記気筒から排出された排気のエネルギによって前記コンプレッサを駆動するタービンを有するよう構成されたターボ過給機と、を備え、
前記ターボ過給機は、前記エンジン本体の運転領域において、前記コンプレッサの作動ラインが当該コンプレッサの最高効率を含む所定範囲内となるように、前記タービンの容量を設定しており、
前記動弁機構は、前記エンジン本体の運転状態が中速域でかつ高負荷領域にあるときには、充填効率が所定以下となるように前記吸気弁の閉弁時期を設定すると共に、前記吸気弁の開弁期間と前記排気弁の開弁期間とが所定期間だけ重なるように、前記吸気弁及び前記排気弁の開閉時期を設定するターボ過給機付き火花点火式エンジン。
【請求項２】
請求項１に記載のターボ過給機付き火花点火式エンジンにおいて、
前記動弁機構は、前記充填効率が所定以下となるように、前記吸気弁の閉弁時期を吸気下死点よりも所定量だけ進角した時期に設定するターボ過給機付き火花点火式エンジン。
【請求項３】
請求項１又は２に記載のターボ過給機付き火花点火式エンジンにおいて、
前記動弁機構は、前記排気弁の開弁期間が前記吸気弁の開弁期間よりも長くなるように、前記吸気弁及び前記排気弁の開閉時期を設定するターボ過給機付き火花点火式エンジン。
【請求項４】
請求項１〜３のいずれか１項に記載のターボ過給機付き火花点火式エンジンにおいて、
前記動弁機構は、前記エンジン本体の運転状態が、前記中速域よりも高速域でかつ前記高負荷領域にあるときには、前記吸気弁の閉弁時期を、前記中速域でかつ前記高負荷域にあるときよりも遅角した時期に設定するターボ過給機付き火花点火式エンジン。
【請求項５】
請求項１〜４のいずれか１項に記載のターボ過給機付き火花点火式エンジンにおいて、
前記気筒の幾何学的圧縮比は、１３以上に設定され、
前記動弁機構は、前記エンジン本体の運転状態が前記中速域でかつ前記高負荷領域にあるときには、前記気筒の有効圧縮比を、１０以上に設定するターボ過給機付き火花点火式エンジン。
【請求項６】
請求項１〜５のいずれか１項に記載のターボ過給機付き火花点火式エンジンにおいて、
前記エンジン本体は、走行用の電動モータを備えたハイブリッド車両に搭載されているターボ過給機付き火花点火式エンジン。
【発明の詳細な説明】
【技術分野】
【０００１】
ここに開示する技術は、ターボ過給機付き火花点火式エンジンに関する。
【背景技術】
【０００２】
特許文献１には、熱効率の向上を目指して、幾何学的圧縮比を高く設定した火花点火式エンジンが記載されている。このような高い圧縮比は、圧縮端温度及び圧縮端圧力を高くするから、エンジンの運転状態が、特に高負荷域にあるときには、ノッキングを招き易い。特許文献１には、ノッキングを招き易い高負荷領域においては、点火時期を圧縮上死点後に設定することによって、ノッキングを回避する技術が記載されている。
【０００３】
また、特許文献２には、相対的に小容量でかつ、エンジンの運転状態が低負荷低回転時に作動する小ターボ過給機と、相対的に大容量でかつ、エンジンの運転状態が高負荷高回転時に作動する大ターボ過給機とを備えたディーゼルエンジンにおいて、低負荷低回転時の排気エネルギが低いときに、トルク向上を目的とした掃気利用の充填効率向上技術が記載されている。具体的に、このターボ過給機付きエンジンでは、小ターボ過給機を作動させる運転領域において、バルブ位相可変機構（Variable Value Timing：ＶＶＴ）が排気弁の開弁期間と吸気弁の開弁期間とが重なるオーバーラップ期間を設けると共に、排気弁の開弁時期を調整することで、排気脈動の谷を、そのオーバーラップ期間に一致させている。このことによって、気筒内の既燃ガスは排気側に押し出され（つまり、掃気）、その掃気の分だけ気筒内に充填する新気の量を増やし、充填効率を高めている。
【先行技術文献】
【特許文献】
【０００４】
【特許文献１】特開２００７−２９２０５０号公報
【特許文献２】特開２００９−１０３０８４号公報
【発明の概要】
【発明が解決しようとする課題】
【０００５】
ところで、ターボ過給機付き火花点火式エンジンは、高負荷領域においては、大きな過給効果により圧縮端温度及び圧縮端圧力が高まることで、過早着火やノッキングといった異常燃焼を招き易い条件となる。高負荷領域において、エンジン回転数が比較的低い低速域では、クランク角変化に対する実時間がかなり長いため、例えば圧縮上死点以降に気筒内に燃料を噴射しても、混合気形成が可能となり得る。低速域では、燃料噴射時期の調整を通じて異常燃焼を回避することが可能である。また、エンジン回転数が比較的高い高速域では、クランク角変化に対する実時間が逆に短いため、例えば圧縮行程中に燃料を噴射しても、未燃混合気の反応時間は短くなるから、異常燃焼は発生し難い。これに対し、エンジン回転数が中程度である中速域においては、低速域のように圧縮上死点以降において燃料を噴射したのでは混合気の形成が間に合わないため、少なくとも圧縮行程中には燃料を噴射しなければならない。一方で、高速域と比較して、クランク角変化に対する実時間が長くなることで、未燃混合気の反応時間が相対的に長くなる。従って、異常燃焼を回避するために、圧縮上死点付近で燃料を噴射するターボ過給機付き火花点火式エンジンにおいて、中速域でかつ高負荷領域は、異常燃焼が最も発生し易くなり得る。そこで、例えば、特許文献１に記載されている技術と同じように、点火時期を遅らせることによって異常燃焼を回避する対策が考えられるが、点火時期を遅らせることは、トルクの減少を招く。このことは、高いトルクが要求される中速域の高負荷領域においてトルクを向上させることができなくなるという不都合がある。
【０００６】
特に、特許文献１に記載されているように、幾何学的圧縮比を高く設定した高圧縮比エンジンにおいては、高圧縮比と過給効果とが組み合わさって圧縮端温度及び圧縮端圧力がさらに高くなるから、中速域の高負荷領域においては異常燃焼をさらに招き易くなる。点火時期を遅らせることによってこれを回避しようとすれば、その点火時期を圧縮上死点以降で大幅に遅角しなければならなくなり、トルクが大きく低下してしまうことになる。
【０００７】
ここに開示する技術は係る点に鑑みてなされたものであり、その目的とするところは、ターボ過給機付き火花点火式エンジンにおいて、その運転状態が中速域でかつ高負荷領域にあるときに、異常燃焼を回避して、トルク向上を図ることにある。
【課題を解決するための手段】
【０００８】
ここに開示する技術は、エンジンの運転状態が中速域でかつ高負荷領域にあるときに、掃気を行うことで、異常燃焼を回避するようにした。掃気は、前述したように、吸気弁と排気弁との双方が開弁するオーバーラップ期間を設けて気筒内の既燃ガスを排気側に押し出し、それによって、気筒内の温度を低下させる。また、押し出された既燃ガスに代わり、相対的に温度の低い新気が気筒内に導入される。こうして圧縮開始時の気筒内の温度が低くなって圧縮端温度が低くなる。このことは、中速域でかつ高負荷領域にあるときの異常燃焼の回避に有利になる。
【０００９】
ここで、吸気弁の開弁期間と排気弁の開弁期間とが重なるオーバーラップ期間を設けて掃気を行うには、吸気側の過給圧が排気側の排気圧よりも高くなければならない。しかしながら、ターボ過給機は、低速域での過給能力を高めることを考慮して、低排気流量でもタービンの回転数を上昇させて高い過給圧が得られるように、タービン容量を比較的小さくすることが一般的である。これにより、コンプレッサの作動ラインは、例えば図５に示すコンプレッサの性能曲線において破線Ｌ２で示されるように、低流量側で圧力比が高くなるような傾きの大きい曲線となる。尚、この作動ラインは、コンプレッサ単体の効率としては、最も効率の高いところ（図５における等効率線の尾根の近傍）からは、ずれることになる。
【００１０】
このような構成のターボ過給機は、中速域から高速域においては、エンジンやターボ過給機を保護する観点から、エンジンの排気側において、タービンをバイパスするウエストゲート弁を開き、それによって過給圧を上限値で一定にするが（図５における破線Ｌ２において水平に延びる箇所参照）、この状態では、吸気側の過給圧が排気圧（正確には、平均排気圧）よりも低くなってしまう。つまり、エンジンの運転状態が中速域にあるときには、オーバーラップ期間を設けたとしても、過給圧が排気圧よりも低いことに起因して、十分な掃気を行うことができない。
【００１１】
そこで、ここに開示する技術は、ターボ過給機の特性を、低速域での過給性能を考慮した一般的な特性とは異ならせた上で、エンジンの運転状態が中速域にあるときに、過給圧が排気圧よりも高くなる状態にし、そのことと、吸排気弁のオーバーラップ期間を設けることとを組み合わせることで、エンジンの運転状態が中速域にあるときの掃気を可能にした。
【００１２】
具体的に、ここに開示するターボ過給機付き火花点火式エンジンは、少なくとも１の気筒を有するよう構成されたエンジン本体と、前記気筒内に吸気を導入するために開閉するよう構成された吸気弁と、前記気筒内から排気を排出するために開閉するよう構成された排気弁と、前記吸気弁及び前記排気弁それぞれの開閉時期を設定するように構成された動弁機構と、前記エンジン本体の吸気側に配置されかつ、所定過給圧の吸気を前記気筒に供給するためのコンプレッサ及び、前記エンジン本体の排気側に配置されかつ、前記気筒から排出された排気のエネルギによって前記コンプレッサを駆動するタービンを有するよう構成されたターボ過給機と、を備える。
【００１３】
そして、前記ターボ過給機は、前記エンジン本体の運転領域において、前記コンプレッサの作動ラインが当該コンプレッサの最高効率を含む所定範囲内となるように、前記タービンの容量を設定しており、前記動弁機構は、前記エンジン本体の運転状態が中速域でかつ高負荷領域にあるときには、充填効率が所定以下となるように前記吸気弁の閉弁時期を設定すると共に、前記吸気弁の開弁期間と前記排気弁の開弁期間とが所定期間だけ重なるように、前記吸気弁及び前記排気弁の開閉時期を設定する。
【００１４】
ここで、「中速域」は、エンジンの運転領域を、エンジンの回転数の高低について、低速、中速及び高速の３つに区分した場合の中速域としてもよい。また、この「中速域」には、前記の中速域と、高速域の一部とを含む、としてもよい。
【００１５】
また、「高負荷領域」は、エンジンの運転領域を、エンジンの負荷の高低について、低負荷、中負荷及び高負荷の３つに区分した場合の高負荷領域としてもよい。また、例えば全開負荷を含む所定の領域を、高負荷領域としてもよい。
【００１６】
さらに、「吸気弁及び排気弁の開閉時期」は、例えば所定量のリフト時点（例えば０．３ｍｍリフト時点）を、開弁時期又は閉弁時期と定義してもよい。
【００１７】
加えて  「動弁機構」は、クランク軸の回転に同期して、一定の時期に、吸気弁及び排気弁を開閉する機構としてもよいし、例えば、吸気弁及び排気弁の少なくとも一方について、その開閉時期を変更可能な可変機構として構成してもよい。動弁機構は、吸気弁及び／又は排気弁の開閉時期の位相を調整するバルブ位相可変機構（Variable Value Timing：ＶＶＴ）としてもよい。また、動弁機構は、吸気弁及び／又は排気弁のリフト量を変更するバルブリフト可変機構（Variable Value Lift：ＶＶＬ）としてもよい。バルブリフト可変機構は、カムプロファイルの異なる２種類のカムを有し、その２種類のカムを切り替えることによって、吸気弁及び／又は排気弁のリフト量を変更する構成としてもよい。また、バルブリフト可変機構は、吸気弁及び／又は排気弁のリフト量の連続的に変更する機構（Continuously Variable Value Lift：ＣＶＶＬ）としてもよい。動弁機構は、ＶＶＴ及びＶＶＬを組み合わせてもよい。また、吸気弁の動弁機構と、排気弁の動弁機構とは、同じ構成してもよいし、異なる構成にしてもよい。
【００１８】
前記の構成によると、ターボ過給機は、エンジン本体の運転領域において、コンプレッサの作動ラインが、当該コンプレッサの最高効率を含む所定範囲内となるように、タービンの容量を設定している。言い換えると、タービン容量は比較的大となるように設定されている。この所定範囲内は、一例として、但しこれに限定されないが、最高効率に対して１０％の範囲内としてもよい。このように設定したターボ過給機の特性は、前述した低速域での過給性能を考慮した、従来において一般的なターボ過給機の特性とは異なり、低速域での過給性能は相対的に低くなり得る。また、タービン容量を大きくすることは、中速域での排気圧を低くし得る。尚、タービン容量の設定は、例えばＡ／Ｒ（つまり、Ａ（ノズル最挟部断面積）と、Ｒ（タービン軸中心からノズル最挟部断面中心までの距離））の設定によって行ってもよい。
【００１９】
また、前記の構成では、吸気弁及び排気弁の開閉時期を設定する動弁機構が、エンジン本体の運転状態が中速域でかつ高負荷領域にあるときに、充填効率が所定以下となるように、吸気弁の閉弁時期を設定する。所定以下の低い充填効率は、排気流量を低下させ、排気圧を低くする。一方で、前述の通り、ターボ過給機におけるコンプレッサの作動ラインが最高効率付近に設定されていることで、排気エネルギが低くても、比較的高い過給圧が得られる。その結果、エンジン本体の運転状態が中速域でかつ高負荷領域にあるときに、過給圧が排気圧よりも高い状態になり得る。言い換えると、ターボ過給機は、エンジン本体の運転状態が中速域でかつ高負荷領域にあり、充填効率が所定以下となるように設定したときに、過給圧が排気圧よりも高くなるような特性を有している。
【００２０】
その上で、動弁機構は、吸気弁の開弁期間と排気弁の開弁期間とが所定期間だけ重なるように、つまりオーバーラップ期間を設けるように、吸気弁及び排気弁の開閉時期を設定する。前述したように過給圧が排気圧よりも高い状態にしているため、吸排気弁のオーバーラップ期間において、気筒内の既燃ガスが排気側に押し出されて掃気が行われる。その結果、気筒内の温度低下と共に、相対的に低温の新気が気筒内に導入されるから、圧縮端温度が下がって異常燃焼が回避される。こうして異常燃焼が回避されるから、点火時期をできるだけ進角することが可能になり、エンジンの運転状態が中速域でかつ高負荷領域にあるときのトルクの向上が図られる。オーバーラップ期間は、具体的には、吸気弁の開弁時期を、例えば排気上死点前３５〜４０°ＣＡに設定し、また、排気弁の閉弁時期を、例えば排気上死点後３５〜４０°ＣＡに設定し、それによって、７０〜８０°ＣＡに設定してもよい。
【００２１】
ここで、前記動弁機構は、充填効率が所定以下となるように、吸気弁の閉弁時期を吸気下死点よりも所定量だけ遅角した時期に設定してもよい。しかしながら、エンジン本体の運転状態が中速域にあるため、吸気の慣性効果が強く、充填効率を所定以下にしようとすれば、吸気弁の閉弁時期を、吸気下死点後の大幅に遅い時期に設定しなければならなくなる。
【００２２】
そこで、前記動弁機構は、前記充填効率が所定以下となるように、前記吸気弁の閉弁時期を吸気下死点よりも所定量だけ進角した時期に設定する、ことが好ましい。こうすることで、中速域において、所定以下の充填効率を容易に実現し得る。吸気弁の閉弁時期は、例えば吸気下死点前２５〜３０°ＣＡに設定してもよい。
【００２３】
前記動弁機構は、前記排気弁の開弁期間が前記吸気弁の開弁期間よりも長くなるように、前記吸気弁及び前記排気弁の開閉時期を設定する、としてもよい。前述の通り、吸気弁及び排気弁の開弁期間が重なるオーバーラップ期間を設けることから、吸気弁の閉弁時期を吸気下死点よりも所定量だけ進角させたときには特に、吸気弁の開弁期間が相対的に短くかつ、排気弁の開弁期間が相対的に長くなる。
【００２４】
前記動弁機構は、前記エンジン本体の運転状態が、前記中速域よりも高速域でかつ前記高負荷領域にあるときには、前記吸気弁の閉弁時期を、前記中速域でかつ高負荷域にあるときよりも遅角した時期に設定する、としてもよい。
【００２５】
エンジン本体の運転状態が高速域にあるときには、中速域にあるときと比較して、クランク角変化に対する実時間が短くなるため、気筒内の未燃混合気の反応可能時間が短くなり、過早着火やノッキングといった異常燃焼は起こり難くなる。
【００２６】
一方で、エンジン本体の運転状態が高速域でかつ高負荷領域にあるときには、充填効率をさらに高めることが、トルク向上には有利になる。
【００２７】
そこで、動弁機構は、エンジン本体の運転状態が、異常燃焼の起こり難い、高速域でかつ高負荷領域にあるときには、吸気弁の閉弁時期を、中速域でかつ高負荷域にあるときよりも遅角した時期に設定する。このことにより、過給効果を含んで高い充填効率が実現し、トルクが向上する。
【００２８】
前記気筒の幾何学的圧縮比は、１３以上に設定され、前記動弁機構は、前記エンジン本体の運転状態が中速域でかつ高負荷領域にあるときには、前記気筒の有効圧縮比を、１０以上に設定する、としてもよい。
【００２９】
すなわち、前述した構成は、エンジン本体の幾何学的圧縮比が高く、それに伴い、エンジン本体の運転状態が中速域でかつ高負荷領域にあるときの有効圧縮比も比較的高くなって、高い圧縮端温度及び圧縮端圧力になり得る火花点火式エンジンにおいて、異常燃焼を回避してトルクの向上が図られる点で、有効である。
【００３０】
前記エンジン本体は、いわゆるガソリン車両に搭載することは勿論のこと、前記エンジン本体は、走行用の電動モータを備えたハイブリッド車両に搭載されている、としてもよい。
【００３１】
前述の通り、ターボ過給機の特性を、低速域での過給性能を考慮した一般的な特性とは異ならせていることに起因して、このターボ過給機付き火花点火式エンジンは、低速域では過給効果が得られ難くなり、低速域でのトルク低下を招く場合がある。しかしながら、このエンジン本体を、走行用の電動モータを備えたハイブリッド車両に搭載した場合には、低速域においては電動モータを駆動することによって必要なトルクを確保することが可能である。尚、前記エンジン本体をガソリン車両に搭載したときには、低速域における低い過給性能を補う別途の構成を追加してもよい。
【発明の効果】
【００３２】
以上説明したように、前記のターボ過給機付き火花点火式エンジンは、エンジン本体の運転状態が中速域でかつ高負荷領域にあるときに、吸気弁の閉弁時期の設定によって充填効率を低くすることに伴い、過給圧が排気圧よりも高くなるようなターボ過給機の特性とし、その上で、吸気弁の開弁期間と排気弁の開弁期間とが重なるように、吸気弁及び排気弁の開閉時期を設定することで、掃気を確実に行って異常燃焼を回避し、その結果、トルクの向上が図られる。
【図面の簡単な説明】
【００３３】
【図１】エンジンシステムの構成を示す概略図である。
【図２】エンジンシステムの構成を示す概略図である。
【図３】エンジンシステムにおける排気側の構成を示す一部断面図であり、（ａ）絞り部を構成する可変絞り弁を開けた状態、（ｂ）可変絞り弁を閉じた状態である。
【図４】エンジンの運転領域を示すマップの一例である。
【図５】コンプレッサの性能曲線の一例である。
【図６】吸気弁及び排気弁のリフト量及び開閉時期を例示する図である。
【図７】低速高負荷域における吸気弁及び排気弁の開閉時期を例示するダイアグラムである。
【図８】中速高負荷域における吸気弁及び排気弁の開閉時期を例示するダイアグラムである。
【図９】ターボ過給機の特性曲線の一例である。
【図１０】中速高負荷域における排気脈動と吸排気弁の開弁期間との関係を示すタイミングチャートである。
【発明を実施するための形態】
【００３４】
以下、実施形態に係るエンジンシステムを図面に基づいて説明する。尚、以下の好ましい実施形態の説明は例示である。図１、２において、１はエンジン（エンジン本体）であって、この例では、第１〜第４の４つの気筒Ｃ１〜Ｃ４を有する直列４気筒の火花点火式エンジンとされている。尚、以下の説明において、各気筒を区別する必要のないときは、気筒を単に符合Ｃを用いて示す場合もある。２はシリンダブロック、３はシリンダヘッド、４はピストンであり、これらシリンダブロック２とシリンダヘッド３とピストン４とによって燃焼室５が形成されている。燃焼室５には、シリンダヘッド３に形成された吸気ポート６及び排気ポート７が開口し、燃焼室５の略中心部には点火プラグ８が配設されている。吸気ポート６は吸気弁９により開閉され、排気ポート７は排気弁１０により開閉される。
【００３５】
シリンダヘッド３にはまた、気筒Ｃ毎に、気筒Ｃ内に燃料を直接噴射するインジェクタ１１が取り付けられている。インジェクタ１１は、この例では、シリンダヘッド３の吸気側に取り付けられており、燃焼室５の中央付近に向かって、燃料を直接噴射するように構成されている。
【００３６】
尚、点火プラグ８や、インジェクタ１１の配置は、適宜変更することが可能である。
【００３７】
吸気弁９及び排気弁１０を駆動する動弁機構１２は、吸気側及び排気側のそれぞれにＶＶＴ（VariableValve Timing）を備えている。ＶＶＴは、吸気弁９及び排気弁１０の開弁期間を維持したまま、バルブタイミング（バルブ開閉時期）を平行移動的に前後させる。ＶＶＴは、液圧式、電磁式又は機械式の公知の構造を適宜採用すればよく、その詳細な構造についての図示は省略する。
【００３８】
吸気弁９及び排気弁１０を駆動する動弁機構１２の内、少なくとも吸気弁９の動弁機構１２はまた、吸気弁９のリフト量を大小２種類に切り替える、例えば油圧作動式の可変機構（以下、ＶＶＬ（VariableValve Lift）と称する）を備えている。ＶＶＬは、その構成の詳細な図示は省略するが、吸気弁９のリフト量を相対的に大きくする第１カムと、吸気弁９のリフト量を相対的に小さくする第２カムとの、カムプロファイルの異なる２種類のカム、及び、その第１及び第２カムのいずれか一方のカムの作動状態を選択的に吸気弁９に伝達するロストモーション機構を含んで構成されている。このようなＶＶＬに代えて、吸気弁９の動弁機構１２は、そのリフト量を連続的に変更することが可能なリフト量可変機構（ＣＶＶＬ（Continuously Variable Valve Lift））を備えるようにしてもよい。ＣＶＶＬは、公知の種々の構造を適宜採用することが可能であり、その詳細な構造についての図示は省略する。吸気弁９は、ＶＶＴ及びＶＶＬによって、図６に例示するように、その開弁時期及び閉弁時期、並びに、リフト量（及び開弁期間）、をそれぞれ変更することが可能である（図６の実線、一点鎖線及び二点鎖線参照）。
【００３９】
吸気弁９及び排気弁１０の動弁機構１２を制御することによって、図６に例示するように、吸気弁９の開弁時期を排気上死点前とする一方で（同図の実線参照）、排気弁１０の閉弁時期を排気上死点後として（同図の破線参照）、吸気弁９の開弁期間の一部と排気弁１０の開弁期間の一部とが重なり、それによって、排気上死点付近で吸気弁９及び排気弁１０が共に開弁するオーバーラップ期間（Ｏ／Ｌ）を設定することが可能である。
【００４０】
尚、排気弁１０においても、リフト量を可変にする可変機構（ＶＶＬ）を備えてもよい。排気弁１０のＶＶＬは特に、吸気弁９とは異なり、カム山を一つ有する第１カムとカム山を２つ有する第２カムとの、カムプロファイルの異なる２種類のカム、及び、その第１及び第２カムのいずれか一方のカムの作動状態を選択的に排気弁に伝達するロストモーション機構を含んで構成してもよい。この構成では、第１カムの作動状態を排気弁１０に伝達しているときには、排気弁１０は、排気行程中において一度だけ開弁される通常モードで作動するのに対し、第２カムの作動状態を排気弁１０に伝達しているときには、排気弁１０が、排気行程中において開弁すると共に、吸気行程中においても開弁するような、いわゆる排気の二度開きを行う特殊モードで作動する。特殊モードは、気筒Ｃ内に既燃ガスを残留させる内部ＥＧＲ制御に利用することができる。内部ＥＧＲ制御は、後述するＣＩ燃焼時に行う場合がある。
【００４１】
吸気ポート６は、吸気マニホールドによって形成される独立分岐吸気通路２１を介してサージタンク２２に接続されている。サージタンク２２には、１本の共通吸気通路２３が接続されている。この共通吸気通路２３には、その上流側から下流側へ順次、エアクリーナ２４，スロットル弁２５，ターボ過給機２６のコンプレッサ２６Ａ、インタークーラ２７が配設されている。
【００４２】
エンジン１の他側面には、排気通路３０の一部を構成する排気マニホールド３１が取り付けられる。この排気マニホールド３１は、互いに独立した第１〜第３の独立通路部３１Ａ、３１Ｂ、３１Ｃを有している。第１独立通路部３１Ａが第１気筒Ｃ１の排気ポート７に連通し、第２独立通路部３１Ｂが、第２及び第３気筒Ｃ２、Ｃ３の排気ポート７に連通し、第３独立通路部３１Ｃが、第４気筒Ｃ４の排気ポート７に連通する。
【００４３】
排気マニホールド３１の出口端にはハウジング３２が接続されている。ハウジング３２は、その上流側においては、排気マニホールド３１の独立通路部３１Ａ、３１Ｂ、３１Ｃにそれぞれ連通する独立通路部３２Ａ、３２Ｂ、３２Ｃを形成すると共に、後述する可変絞り弁３２０を有する絞り部として機能し、それよりも下流側においては、各独立通路部３２Ａ、３２Ｂ、３２Ｃからの排気が合流する集合部３２Ｄを形成する。ここで、可変絞り弁３２０は、３つの独立通路部３２Ａ、３２Ｂ、３２Ｃの各通路断面積を、その独立状態を維持しつつ変更するバルブである。可変絞り弁３２０を含むハウジング３２の詳細構造は、後述する。
【００４４】
排気通路３０の下流側には、ターボ過給機２６のハウジングが接続されている。ハウジング内には、ターボ過給機２６のタービン２６Ｂが配設されている。タービン２６Ｂは、コンプレッサ２６Ａに対して連結軸２６Ｃによって連結されており、排気ガスのエネルギを受けてタービン２６Ｂが回転駆動することによって、コンプレッサ２６Ａが回転駆動して、過給が行われる。
【００４５】
排気通路３０にはまた、タービン２６Ｂをバイパスするバイパス通路３４が接続されている。このバイパス通路３４には、当該バイパス通路３４を流れる排気流量を調整するためのウエストゲート弁３４１が介設されている。
【００４６】
排気通路３０におけるタービン２６Ｂの下流側には、図１に示すように、排気ガス中の有害成分を浄化する触媒３３が接続されている。この触媒３３は、ケースと、そのケース内の流路に配置した、例えば三元触媒とを備えて構成されている。
【００４７】
ここで、エンジンシステムの排気側の構成について、主に図３を参照しながら、さらに詳細に説明する。図３は、気筒列の方向に視た排気マニホールド３１及びハウジング３２の部分の一部破断の側面図である。
【００４８】
排気マニホールド３１の上流端にはフランジ３１１が設けられ、排気マニホールド３１は、このフランジ３１１を介してエンジン１のシリンダヘッド３に固定される。前述の通り、排気マニホールド３１は、第１〜第３の独立通路部３１Ａ、３１Ｂ、３１Ｃを有し、それぞれの上流端は、シリンダヘッド３の側面に開口する３つの排気ポート７それぞれに接続されると共に、その下流端である排気マニホールド３１の出口には、詳細な図示は省略するが、３つの開口が気筒列方向に並んで形成されている。つまり、第１独立通路部３１Ａの第１開口部、第２独立通路部３１Ｂの第２開口部、及び、第３独立通路部３１Ｃの第３開口部が、この順に一直線上に配置されている（図２も参照）。
【００４９】
排気マニホールド３１の出口端に接続されるハウジング３２の上流側には、排気の流れに沿って（平行に）立設する仕切板３２１が、その立設方向に直交する気筒列の方向（図における紙面に直交する方向）に所定の間隔だけ離間して、２枚設けられている。２枚の仕切板３２１の内の一方は、排気マニホールド３１の出口端との合わせ部において第１開口部と第２開口部とを仕切る壁面と連続するように立設されてハウジング３２内を仕切り、他方は、第２開口部と第３開口部とを仕切る壁面と連続するように立設されてハウジング３２内を仕切る。これにより、ハウジング３２内の上流側において、仕切板３２１に沿って排気が流れる区間では、２枚の仕切板３２１によって各独立通路部３１Ａ、３１Ｂ、３１Ｃの独立状態及び並列状態が維持されており、ハウジングにおけるこの部分が、複数の気筒Ｃの排気側にそれぞれ連通する複数の独立通路部３２Ａ、３２Ｂ、３２Ｃを構成することになる。
【００５０】
前述した可変絞り弁３２０は、ハウジング３２の上流側に配設されており、具体的には、排気の流れに交差する方向に設けられ、ハウジング３２に支持されたフラップ軸３２２と、フラップ軸３２２まわりに旋回可能とされた弁体としてのフラップ３２３と、後述するＥＣＵ１００からの制御信号（可変絞り弁３２０の開度指令）に基づいてフラップ軸３２２を回転させるアクチュエータ（図示省略）と、フラップ３２３を開弁方向に付勢するリターンスプリング（図示省略）とを含む。フラップ３２３は、フラップ軸３２２に沿って視てフラップ軸３２２を扇の要とする扇形断面の扇状面を有する。
【００５１】
ハウジング３２には上方に膨出する膨出部３２４が形成されており、膨出部３２４の内側にフラップ３２３が格納された状態（図３（ａ）に示す状態）が、可変絞り弁３２０の開弁（全開）状態である。可変絞り弁３２０が全開のときには、排気マニホールド３１の出口からハウジング３２内に導入された排気はフラップ３２３（可変絞り弁３２０）で絞られることなく、下流側の集合部３２Ｄに導かれる。
【００５２】
一方、フラップ３２３がフラップ軸３２２を中心に回転駆動され、膨出部３２４よりも内側に最も侵入した状態（図３（ｂ）に示す状態）が可変絞り弁３２０の閉弁（全閉）状態である。フラップ３２３は、アクチュエータによって全閉状態と全開状態との間で適宜開度調節される。
【００５３】
可変絞り弁３２０が全閉のときには、図３（ｂ）に示すように、フラップ３２３の扇状面が流路の一部を遮るので排気通路断面積が縮小される。従って、排気マニホールド３１の出口からハウジング３２内に導入された排気は可変絞り弁３２０によって絞られた後、集合部３２Ｄに導かれる。ここで、各仕切板３２１の各後縁は、可変絞り弁３２０が閉弁状態にあるときのフラップ３２３の扇状面に沿うように成形されている。従って、排気がフラップ３２３で絞られる際には、排気通路の独立状態及び並列状態が維持された状態で絞られる。
【００５４】
集合部３２Ｄは、ハウジング３２内において仕切板３２１の後縁よりも下流側に形成される部分である。ハウジング３２の下流端側にはフランジが設けられて、ターボ過給機２６のハウジングが接続されている。
【００５５】
図１に戻り、符号１００は、エンジンシステムの動作を電気的に制御するＥＣＵ（Engine Control Unit）である。ＥＣＵ１００は、ＣＰＵ、メモリ、カウンタタイマー群、インターフェース並びにこれらのユニットを接続するバス等を有するマイクロプロセッサで構成された制御ユニットである。ＥＣＵ１００は、インジェクタ１１の制御を通じた燃料供給量、スロットル弁２５の制御を通じたスロットル開度、及び、点火プラグ８の制御を通じた点火時期といった一般的な燃焼制御に加え、動弁機構１２（ＶＶＴ及びＶＶＬ）の駆動制御、ウエストゲート弁３４１の開度調整制御、及び、可変絞り弁３２０の開度調整制御を行う。
【００５６】
このエンジン１は、熱効率向上の観点から、幾何学的圧縮比が１３以上に設定されている。さらに、幾何学的圧縮比を１８以上の高圧縮比に設定することによって、例えば低負荷領域においては、圧縮着火燃焼（Compression Ignition：ＣＩ）を行うことが可能になり、熱効率のさらなる向上が図られる。この例では、幾何学的圧縮比は１８に設定されており、このエンジン１は、低負荷領域においてはＣＩ燃焼を行う。一方、エンジン１の負荷が高まるに従って、ＣＩ燃焼では燃焼が急峻になりすぎて、例えば燃焼騒音等の問題を引き起こすことになる。そこで、このエンジン１では、前記の低負荷領域よりも負荷の高い高負荷領域においては、火花点火燃焼（Spark Ignition：ＳＩ）を行う。このように、ここに例示するターボ過給機付き高圧縮比エンジン１は、負荷の高低に応じて燃焼形態を切り替えるように構成されている。但し、ここに開示する技術は、このようなＣＩ燃焼を行うエンジンに適用することには限定されない。
【００５７】
（高負荷領域におけるエンジン制御）
次に、高負荷領域におけるエンジン制御について、図を参照しながら説明する。前述したように、このターボ過給機付き火花点火式エンジン１は、高負荷領域においてはＳＩ燃焼を行うが、幾何学的圧縮比が１８と非常に高い上に、ターボ過給機２６による過給が行われるため、過早着火やノッキングといった異常燃焼を招き易い条件となる。高負荷領域においても、エンジン回転数が比較的低い低速域では、クランク角変化に対する実時間がかなり長いため、例えば圧縮上死点以降に気筒内に燃料を噴射しても、混合気形成が可能となり得る。そこで、詳細な説明は省略するが、このエンジンシステムでは、図４に示すエンジン１の運転領域において、低速・高負荷領域では少なくとも、燃料噴射時期及び点火時期の調整を通じて異常燃焼を回避する。また、エンジン回転数が比較的高い高速域では、クランク角変化に対する実時間が逆に短いため、例えば圧縮行程中に、気筒Ｃ内に燃料を噴射しても、未燃混合気の反応時間は短くなるから、異常燃焼は発生し難い。これに対し、エンジン回転数が中程度である中速域においては、低速域のように圧縮上死点以降において燃料を噴射したのでは混合気の形成が間に合わないため、少なくとも圧縮行程中には燃料を噴射しなければならない。一方で、高速域と比較して、クランク角変化に対する実時間が長くなることで、未燃混合気の反応時間が相対的に長くなる。従って、図４に示すエンジン１の運転領域において、特に中速域から高速域の一部を含む速度域でかつ、全開負荷を含む高負荷領域においては（ここでは、この領域を「中速・高負荷領域」と呼ぶ）、異常燃焼が最も発生し易くなり得る。異常燃焼の回避には点火時期を遅らせることが有効であるが、このターボ過給機付きの高圧縮比エンジン１において異常燃焼を回避しようとすれば、点火時期を大幅に遅角させなければならず。高いトルクが要求される中速・高負荷領域において、トルクを大きく低下させてしまうという不都合がある。
【００５８】
そこで、このエンジンシステムでは、中速・高負荷領域において掃気を行うことにより、異常燃焼を回避しつつ、トルクの向上を図るようにしている。具体的には、ターボ過給機２６の特性を、従来において一般的な特性とは異ならせた上で、吸気弁９及び排気弁１０のバルブタイミングの調整を行うことによって、中速・高負荷領域における掃気を可能にしている。以下、ターボ過給機２６の構成、及び、吸気弁９及び排気弁１０の制御について、順に説明をする。
【００５９】
（ターボ過給機の構成）
このエンジン１のターボ過給機２６は、比較的大型のタービン２６Ｂとコンプレッサ２６Ａとを組み合わせたものが用いられる。それは、次のような理由による。
【００６０】
従来、特に低速域からの加速時にトルクの応答性を高める観点から、コンプレッサに対してタービンのサイズを小型化し、排気ガスの流量が少ない低速域でも高い圧力比が得られるようにすることが多かった。タービンは、ある程度の量の排気ガスがないと高速で回転できないが、小型のタービンであれば、排気ガスの流量が少なくても高速で回転できるので、低速域でのコンプレッサの圧力比を高める（つまり低速域での過給能力を高める）ことができる。
【００６１】
図５は、コンプレッサの特性を示す性能曲線のグラフであり、その縦軸はコンプレッサの圧力比、横軸はコンプレッサの吐出流量である。このグラフにおいて、各ラインＳＬ、ＲＬ、ＣＬは、それぞれ、サージライン、回転限界ライン、チョークラインを表しており、これらのラインで囲まれた領域がコンプレッサの運転可能領域である。また、この運転可能領域内に図示された等高線のような曲線群は、コンプレッサの効率が等しい運転ポイントを結んだ等効率線であり、領域の中央側に位置する曲線ほど効率が高くなることを表している。
【００６２】
従来から多用されてきたように、タービンとして比較的小型のものを用いた場合には、エンジンの低速域においてタービンの回転速度が上昇し、これに伴いコンプレッサの圧力比も比較的鋭く上昇する。このように、少ない流量でも高い圧力比が得られるので、コンプレッサの作動ラインは、図５の曲線Ｌ２のような傾きの大きい曲線となる。これにより、エンジンの低速域でも比較的高い過給圧が得られるので、低速域のエンジンのトルクが上昇し、低速域からの加速レスポンスが向上する。なお、曲線Ｌ２では、その途中から圧力比が頭打ちになっている（横向きの直線に移行している）が、これは、エンジンやターボ過給機を保護する観点から設けられた上限値に過給圧が達したために、ウエストゲート弁３４１を開く等の過給圧制御が実行されたことを示している。
【００６３】
このように、タービンを小型化することは、エンジンの低速域でのトルクを補強する上では有利であるが、その反面、エンジンの高速域では、タービンを通過するときの排気ガスの流通抵抗が高くなり易く、ポンピングロスが増大するという欠点がある。また、コンプレッサのサージラインＳＬの近傍が多用されることとなるため、コンプレッサ単体でみると、決して効率の良い使い方とはいえない。
【００６４】
また、前述の中速・高負荷域においては、ウエストゲート弁３４１を開く等によって、過給圧が制限される結果、過給圧が排気圧（正確には、平均排気圧）よりも低くなる。この状態では、オーバーラップ期間を設けて掃気を行おうとしても、十分な掃気ができないことになる。
【００６５】
そこで、このターボ過給機２６では、タービン２６Ｂとして比較的大型のものを用いている。これによって、コンプレッサ２６Ａの作動ラインが、このコンプレッサ２６Ａの最高効率（等高線の尾根）を含む所定範囲内となるように、より具体的には、図５に二点鎖線で示す、最高効率に対して１０％の範囲内になるように、設定されている（図５の曲線Ｌ１参照）。このことは、例えば低速域からの加速時には、コンプレッサ２６Ａの効率の高いところが多用され、コンプレッサ単独の使用条件としては好ましいことになる。また、エンジン回転速度がある程度上昇して以降は、タービン２６Ｂの回転上昇に応じて大きな圧力比が得られ、充分なトルクを確保することができる。しかも、排気ガスの流量が多いときの流通抵抗（排気ガスがタービン２６Ｂを通過するときの抵抗）はタービンが小型であるときよりも小さいので、エンジン高速域におけるポンピングロスを低減して燃費を向上させることができるという利点がある。尚、ターボ過給機２６の特性は、いわゆるＡ／Ｒの調整によって変更が可能である。
【００６６】
ただし、低速域からの加速初期のような排気ガスの流量が少ない状況では、タービン２６Ｂの回転速度がなかなか上昇せず、コンプレッサ２６Ａの圧力比は緩やかにしか上昇しない。このことは、エンジン低速域でのトルクが充分に増大せず、低速域からの加速レスポンスが悪くなることを意味する。このように、タービン２６Ｂを大型化した構成は、高速域でのトルクの確保や燃費の面で有利である一方、低速域でのトルクが充分に出せないという問題がある。
【００６７】
そこで、このような問題に対処すべく、このエンジンシステムでは、低速域においては、可変絞り弁３２０を閉弁する制御を実行し、動圧掃気によって充填効率を高める。つまり、ＥＣＵ１００は、図３（ｂ）に示すように、可変絞り弁３２０を全閉にする。これにより、ハウジング３２内の各独立通路部３２Ａ〜３２Ｃは、その開口面積が小さくされた絞り状態にされる。
【００６８】
排気行程にある気筒から、排気ポート７及び排気マニホールド３１を経て、ハウジング３２の集合部３２Ｄへと向かう排気ガスは、全閉にされた可変絞り弁３２０で流速が高められた上で、集合部３２Ｄを経てタービン２６Ｂへ供給される。特に、排気弁１０が開弁された直後に発生する勢いの強い排気ガス（ブローダウンガス）が、より流速が高められた状態でタービン２６Ｂに供給される。
【００６９】
また、前記の絞り部において排気ガスの流速が高められることによって、エゼクタ効果（吸い出し効果）が発揮されて、ある独立通路を流れる排気ガスが、他の独立通路へ向かって流れるような（つまり、膨張するような）事態が防止されると共に、エゼクタ効果によって他の独立通路中の残留排気ガスも合わせてタービン２６Ｂへ供給される。こうして、ターボ過給機２６が効率よく作動し、過給圧の上昇に有利になる。
【００７０】
さらに、エゼクタ効果によって、吸気行程にある気筒の掃気効果が高まって、この分、充填効率が向上する。つまり、このエンジン１においては、第１気筒Ｃ１、第３気筒Ｃ３、第４気筒Ｃ４、第２気筒Ｃ２の順に点火順序が設定されており、例えば第１気筒Ｃ１が、膨張行程から排気行程への移行期（下死点付近）にあって、排気弁１０が開いて排気が燃焼室５から排気ポート７へ排出され始めたときに（つまりブローダウン時に）、第２気筒Ｃ２は排気行程から吸気行程への移行期（上死点付近）にある。この移行期において、動弁機構１２の制御により、吸気弁９と排気弁１０とが共に開弁しているオーバーラップ期間が設けられている。具体的に、図４に示す低速・高負荷域での吸気弁９のリフト量は、図６において一点鎖線で示すように、相対的に大に設定されると共に、吸気弁９及び排気弁１０の双方が開弁するオーバーラップ期間（Ｏ／Ｌ）が長くなるように設定される。つまり、図７に示すように、吸気弁９の開弁時期は、排気上死点前の所定時期に設定される一方、排気弁１０の閉弁時期は、排気上死点後の所定時期に設定される。
【００７１】
こうして、第１気筒Ｃ１のブローダウン時に、オーバーラップ期間が設けられている第２気筒Ｃ２内の既燃ガスが、エゼクタ効果により吸い出される結果、第２気筒Ｃ２の充填効率は向上するようになる。尚、排気行程と吸気行程との関係が成立する気筒関係は、次のようになる。すなわち、第１気筒Ｃ１（排気行程）と第２気筒Ｃ２（吸気行程）、第２気筒Ｃ２（排気行程）と第４気筒Ｃ４（吸気行程）、第３気筒Ｃ３（排気行程）と第１気筒Ｃ１（吸気行程）、第４気筒Ｃ４（排気行程）と第３気筒Ｃ３（吸気行程）である。
【００７２】
さらに、図７に示すように、吸気弁９の閉弁時期を、吸気下死点後に設定することで、吸入空気量が増加する。これは排気エネルギを上昇させることになるため、このこともまた、ターボ過給機２６の作動効率に寄与し、過給圧を上昇させる上で有利になる。
【００７３】
こうして、低速域において、可変絞り弁３２０を全閉にすることによって、掃気を十分に行うことが可能になって、トルクの向上に有利になる。尚、エンジン１の中速域及び高速域においては、ＥＣＵ１００は、可変絞り弁３２０を全開にする（図３（ａ）参照）。これによって、多量の排気ガスを効率よく排出させることが可能になる。
【００７４】
尚、低速域におけるターボ過給機２６の低い過給性能を補う構成としては、前述した可変絞り部３２０を備える構成の他にも、様々な構成を採用することが可能である。例えばタービンとコンプレッサとを連結する連結軸を電動モータによって回転駆動可能に構成した電動ターボ過給機を採用してもよい。低速域においては、電動モータを駆動することにより、ターボ過給機を強制的に駆動して、所望の過給性能を確保することが可能になる。また、前記のターボ過給機２６に加えて、エンジン１によって駆動されるスーパーチャージャーをさらに備えるようにしてもよい。このスーパーチャージャーは、主に、低速域における過給性能を確保するために駆動してもよい。さらに、タービン容量が比較的大きい前記のターボ過給機２６に加えて、タービン容量が相対的に小さい小型ターボ過給機を、前記のターボ過給機２６に対して直列に設けてもよい。小型ターボ過給機は、低速域における過給性能の確保に有利になる。
【００７５】
（吸排気弁の制御）
次に、吸気弁９及び排気弁１０の制御について、図を参照しながら説明する。図６は、前述した吸気弁９及び排気弁１０のリフトカーブを例示している。図７は、前述したように低速・高負荷域の吸気弁９（実線）及び排気弁１０（破線）の開弁時期及び閉弁時期をそれぞれ示すダイアグラムであり、図８は、中速・高負荷領域での吸気弁９（実線）及び排気弁１０（破線）の開弁時期及び閉弁時期をそれぞれ示すダイアグラムである。
【００７６】
先ず、低速・高負荷域では、前述の通り、吸気弁９のリフト量は、ＶＶＬの制御を通じて相対的に大となるように設定される（図６の一点鎖線参照）と共に、ＶＶＴの制御を通じて開弁時期が排気上死点前の所定時期でかつ閉弁時期が吸気下死点後の所定時期に設定される。これによって、排気弁１０との開弁期間が重なるオーバーラップ期間を比較的長く設定する。これは、前述したように、低速域における掃気を行うためである。また、吸気弁９のリフト量が大に設定されると共に、その閉弁時期が吸気下死点付近に設定されることで吸入空気量は増大する。これは、前述したように、低速・高負荷域における掃気を有効に行いかつ、充填効率を高めるためである。
【００７７】
これに対し、中速・高負荷域では、図６に実線で示すように、吸気弁９のリフト量は、ＶＶＬの制御を通じて相対的に小となるように設定される。これに伴い、吸気弁９の開弁期間は相対的に短くなる。また、吸気弁９の開弁時期は、ＶＶＴの制御を通じて、低速域と同様に、排気上死点前の所定時期に設定されるものの、前述の通り、開弁期間が短いため、閉弁時期が吸気下死点前の所定時期に設定される（図８も参照）。これによって、吸気弁９と排気弁１０との開弁期間が重なるオーバーラップ期間を比較的長く設定する一方で、吸入空気量は少なくなる。ここで、中速・高負荷域における吸気弁９の開弁時期は、具体的には、排気上死点前３５〜４０°ＣＡに設定してもよい。また、排気弁１０の閉弁時期は、具体的には、排気上死点後３５〜４０°ＣＡに設定してもよい。また、オーバーラップ期間（Ｏ／Ｌ）は、７０〜８０°ＣＡとしてもよい。
【００７８】
一方、中速・高負荷域における吸気弁９の閉弁時期は、具体的に、吸気下死点前２５〜３０°ＣＡに設定してもよい。これによって充填効率を所定以下にすると共に、幾何学的圧縮比が１８に設定されたエンジン１において、有効圧縮比を１０以上に設定する。
【００７９】
尚、中速・高負荷域における排気弁１０の開弁時期は、図８に示すように、下死点前に設定されており、これにより、排気弁１０の開弁期間は、吸気弁９の開弁期間よりも長くなっている（図７に示すように、低速・高負荷域では、排気弁１０の開弁期間は、吸気弁９の開弁期間とほぼ同じである）。
【００８０】
このように、オーバーラップ期間を設けることは、低速域と同様に、中速・高負荷域において掃気を行うためである。また、吸気弁９を、いわゆる早閉じにして充填効率を所定以下にすることは、排気量を低減し、それによって排気圧を低下させるためである。尚、吸気弁９を、吸気下死点以降に閉弁する、いわゆる遅閉じにすることでも、充填効率を所定以下にすることが可能ではあるものの、エンジン１の回転数が比較的高い中速域では、吸気の慣性効果が強く、充填効率を所定以下にしようとすれば、吸気弁９の閉弁時期を、吸気下死点後の大幅に遅い時期に設定しなければならないという不都合がある。そのため、吸気弁９は早閉じにすることが好ましい。
【００８１】
ここで、図９は、ターボ過給機２６の特性を示している。図９に一点鎖線（コンプレッサ）及び二点鎖線（タービン）で示すように、従来において一般的な、比較的小容量のタービンを備えたターボ過給機においては、中速域から高速域においては、前述の通り、ウエストゲート弁が開いて過給圧を制限することに伴い、過給圧よりも排気圧の方が高くなってしまう（言い換えると、過給圧の方が排気圧よりも高い領域は、ウエストゲート弁が閉じている低速域に限定される）。
【００８２】
これに対し、このエンジンシステムでは、タービン容量が大きいことで、中速域における排気圧は低くなる上に、吸気弁９の早閉じによって、中速域において、排気圧を低下させており（図６の下向きの矢印参照）、これによってウエストゲート弁３４１は、中速域において、全閉又は所定開度以下、つまり、閉じ気味に設定されている（図９の「Ｗ／Ｇ閉」の矢印を参照。尚、ここでの「閉」は、ウエストゲート弁３４１を全閉にすることのみを意味するのではなく、ウエストゲート弁３４１を若干開けることも含んでいる）。その上、ターボ過給機２６におけるコンプレッサ２６Ａの作動ラインは、最高効率付近に設定されていることにより（図５参照）、中速・高負荷域において排気圧を低下させても、過給圧を高めることが可能になる。その結果、図６において実線（コンプレッサ）及び太実線（タービン）で示すように、エンジン１の中速域・高負荷域において、過給圧を排気圧よりも高く設定することが可能になる。
【００８３】
こうして、「過給圧＞排気圧」の状態となることで、吸気弁９と排気弁１０とのオーバーラップ期間に、排気側に既燃ガスを押し出すことが可能になり、中速・高負荷域において、掃気を確実に行うことが実現する。掃気によって気筒Ｃ内の温度が低下すると共に、相対的に低温の新気が気筒Ｃ内に導入されるから、圧縮開始時の気筒Ｃ内の温度を低くすることが可能になる。そうして、圧縮端温度及び圧縮端圧力が低くなるため、インジェクタ１１によって圧縮行程中に、気筒Ｃ内に燃料噴射を行っても、異常燃焼の発生が抑制乃至回避される。従って、点火プラグ８による点火時期を大幅に遅角させる必要がなくなって、中速・高負荷領域におけるトルクの向上が可能になる。
【００８４】
このエンジンシステムではさらに、中速・高負荷域において、排気の圧力脈動の谷のタイミングが、オーバーラップ期間に一致するように、排気弁１０の開弁時期を設定しており、これによって、掃気をより確実に行うようにしている。
【００８５】
つまり、前述したように、中速・高負荷域では、吸気弁９の早閉じによって充填効率を所定以下に設定しており、これによって排気圧（正確には、平均排気圧）を低くしている。その結果、ウエストゲート弁３４１は全閉又は所定開度以下に設定される（図９参照）。ウエストゲート弁３４１が閉じ気味であるため、図１０に示すように、排気の圧力脈動の振幅ΔＨｐは、相対的に大きくなる。尚、図１０の破線は、従来において一般的な特性のターボ過給機付きエンジンにおいて、中速・高負荷域においてウエストゲート弁３４１を全開にした状態での、排気の圧力脈動の例を示している。従来構成においては、排気圧を低減させる制御は行わないため、平均排気圧が比較的高くなる上に、ウエストゲート弁３４１が全開であるため、排気の圧力脈動の振幅が小さくなっている。
【００８６】
また、前述の通り、平均排気圧を低くしている一方で、ターボ過給機２６の特性により、過給圧は高くなるため、排気の圧力脈動の振幅ΔＨｐが大きくなることと相まって、圧力脈動の谷の圧力が、過給圧よりも大きく低下する。このエンジンシステムでは、図１０に示すように、排気弁１０の開弁時期を適切に設定することにより、排気脈動の谷のタイミングが、オーバーラップ期間（Ｏ／Ｌ）と一致するようにしている。これにより、吸気弁９及び排気弁１０が共に開弁しているときに過給圧が排気圧（正確には、排気の圧力脈動の谷の圧力）よりも高くなるから、掃気が確実に行われるようになる。
【００８７】
こうして、このエンジンシステムでは、ターボ過給機２６の特性によって、中速・高負荷域において、「過給圧＞平均排気圧」を実現し、さらに、排気脈動の谷のタイミングをオーバーラップ期間に一致させることを組み合わせることにより、掃気を確実にかつ、十分に行うことが可能になる。その結果、このエンジンシステムでは、中速・高負荷域における異常燃焼を、より一層確実に回避して、トルクのより一層の向上が図られる。尚、排気脈動の谷のタイミングをオーバーラップ期間に一致させることは、中速・高負荷域において掃気を行う上での必須の構成ではない。このエンジンシステムでは、ターボ過給機２６の特性と、充填効率を低くすることとによって、中速・高負荷域において、少なくとも「過給圧＞平均排気圧」を実現しているから、掃気が可能である。
【００８８】
また、前述した中速・高負荷域よりもエンジン回転数が高い高速・高負荷域では、図６に二点鎖線で示すように、吸気弁９のリフト量は、ＶＶＬの制御を通じて相対的に大に切り替えられ、さらに、ＶＶＴの制御を通じて、開弁及び閉弁時期を、中速・高負荷域での開弁及び閉弁時期よりも遅角させる。これは、前述したように、高速・高負荷域は異常燃焼が生じ難い一方で、トルクの向上に鑑みれば、充填効率を高めることが望ましいためである。そこで、高速・高負荷域では、吸気弁９のリフト量を相対的に大きくすると共に、その閉弁時期を吸気下死点以降の所定時期に設定する。このことで、中速・高負荷域とは異なり、過給効果も含みつつ十分に高い充填効率が実現し、トルクの向上が図られる。
【００８９】
前記のエンジンシステムは、走行用の電動モータを備えたハイブリッド車両に搭載することも可能である。前述の通り、ターボ過給機２６は、低速域における過給性能が低いものの、ハイブリッド車両においては、低速域において電動モータを駆動することが可能であるため、低い過給性能を補うことが可能になる。
【符号の説明】
【００９０】
１  エンジン（エンジン本体）
９  吸気弁
１０  排気弁
１２  動弁機構
２６  ターボ過給機
２６Ａ  コンプレッサ
２６Ｂ  タービン
Ｃ  気筒
【図１】
2014163250.tif 000003
【図２】
2014163250.tif 000004
【図３】
2014163250.tif 000005
【図５】
2014163250.tif 000006
【図６】
2014163250.tif 000007
【図７】
2014163250.tif 000008
【図８】
2014163250.tif 000009
【図９】
2014163250.tif 000010
【図１０】
2014163250.tif 000011
【図４】
2014163250.tif 000012